(57)【要約】本発明は、ピボットにより連接された２つのジョーを含む、医師によって握りゾーンから操作される医療用の多目的鉗子に関する。本発明は下記の点を特徴とする：各ジョー（７、８）は、その内側面に、ジョー（７、８）が接触しているときには自由空間を形成するように凹部を含み；各ジョー（７、８）は、その内側面に、少なくとも一連の横細溝を含んでおり、前記一連の溝はジョー（７、８）が接触しているときに重複するのに適合する形状を有し；各ジョー（７、８）は、その遠位端に、他方のジョー（７、８）に向けられた少なくとも１つの鉤爪を含む。本発明は、特に婦人科の分野において、医療用鉗子を使用かつ製造するために有用である。【選択図】図２
2004501715.tif 000002
【特許請求の範囲】
【請求項１】
ピボットによって連接され、医師によって握り領域（１）から操作される２つのジョー（７、８）を含む医療用の多機能鉗子であって、
−各ジョー（７、８）は、その内側面に、ジョー（７、８）が接合したときに２つの凹部（１１、１２）が１つのくぼみを形成するように１つの凹部（１１、１２）を含み、
−各ジョー（７、８）は、その内側面に、少なくとも一連の横細溝（１３、１４）を含んでおり、ジョー（７、８）が接合したときに前記一連の細溝（１３、１４）は相補的に噛み合い、
−各ジョー（７、８）は、その遠位端に、他方のジョー（７、８）に向けられた少なくとも１つの鉤爪（９、１０）を含む、
ことを特徴とする医療用の多機能鉗子。
【請求項２】
凹部（１１、１２）は、ジョー（７、８）が接合したときに望ましい場合は強制的に閉鎖したくぼみを作製するために、縁が接触している対称的開口部を有する、
ことを特徴とする請求項１に記載の多機能鉗子。
【請求項３】
凹部（１１、１２）は、長軸がジョー（７、８）の長手軸（１５、１６）に沿って方向付けられている楕円形を有する、
ことを特徴とする請求項１または２のいずれか１項に記載の多機能鉗子
【請求項４】
各ジョー（７、８）は、ジョー（７、８）の長手軸（１５、１６）の方向に凹部（１１、１２）の対向する側に形成された二連の細溝（１３、１４）を含む、
ことを特徴とする請求項１から３のいずれか１項に記載の多機能鉗子。
【請求項５】
各ジョー（７、８）は、２つの鉤爪（９、１０）を含み、ジョー（７、８）の鉤爪（９、１０）は閉鎖位置で噛み合う、
ことを特徴とする請求項１から４のいづれか１項に記載の多機能鉗子。
【請求項６】
凹部（１１、１２）は、２つの鉤爪（９、１０）の間でジョー（７、８）の遠位端へ伸びている、
ことを特徴とする請求項５記載の多機能クランプ。
【請求項７】
握り領域（１）は、ジョー（７、８）のピボットを形成するピボット（６）によって接続されたリング（３ａ、３ｂ）を含んだ２本のレッグ（２ａ、２ｂ）によって形成されており、前記ジョー（７、８）はそれぞれ、ピボット（６）を介し握り領域（１）とは反対側のレッグ（２ａ、２ｂ）の延長部に形成される、
ことを特徴とする請求項１から６のいずれか１項に記載の多機能鉗子。
【請求項８】
ピボット（６）を介し握り領域（１）とは反対側に配置されているレッグ（２ａ、２ｂ）の前方部分（１８ａ、１８ｂ）が凸形で内側へ曲がっており、ジョー（７、８）が圧力を受けている間に弾力的に変形可能な材料から作られる、
ことを特徴とする請求項７記載の多機能クランプ。
【請求項９】
２つの前方部分（１８ａ、１８ｂ）の湾曲が対称的である、ことを特徴とする請求項８記載の多機能クランプ。
【請求項１０】
ピボット（６）を介し握り領域（１）と同一側に配置されているレッグ（２ａ、２ｂ）の後方部分（１７ａ、１７ｂ）が凹形で内側へ曲がっており、ジョー（７、８）が圧力を受けている間に弾力的に変形可能な材料から作られる、
ことを特徴とする請求項７から９のいづれか１項に記載の多機能鉗子。
【請求項１１】
２つの後方部分（１７ａ、１７ｂ）の湾曲が対称的である、
ことを特徴とする請求項１０記載の多機能クランプ。
【請求項１２】
ジョー（７、８）の遠位端とピボット（６）との間隔が７から９ｃｍである、
ことを特徴とする請求項７から１１のいずれか１項に記載の多機能鉗子。
【請求項１３】
該鉗子がプラスチック材料から作られる、
ことを特徴とする請求項１から１２のいずれか１項に記載の多機能鉗子。
【発明の詳細な説明】
【０００１】
本発明は、医療用の多機能鉗子に関する。
【０００２】
本発明は、特に婦人科分野における医療用の鉗子の使用および製造の分野に適用される。
【０００３】
鉗子には、一般にピボットによって連接された２つのジョーが用意されており、医師によって握り領域から操作される。
【０００４】
婦人科分野には、特に従来から使用されているそれぞれが特定の機能を満たす様々な鉗子がある。従って、ジョーが実質的に扁平な内側面を有していて、一定の付属品類、コットンあるいは包帯類をつかむことができるように横平行細溝が用意されている既知のコットン把持鉗子がある。
【０００５】
また、頻回に使用される頸部つかみと呼ばれる鉗子類もある。
【０００６】
ある意味では通常、上述の鉗子類と概して同様に、頸部つかみ鉗子は端部に数個の鉤爪が用意されたジョーを含む。
【０００７】
この鉤爪を用いると、例えば子宮頸部にある組織のような組織を保持したり、および／または切除したりすることができる。
【０００８】
これに関連して特に知られている鉗子類は、ＭＵＳＥＵＸ鉗子およびＰＯＺＺＩ鉗子と呼ばれている。
【０００９】
婦人科分野においてはまた、一般に使用されているポリープ鉗子がある。
それらのジョーの内側面はスプーンのような収容部材を形成するために掘られている。
【００１０】
これらの空洞によって、様々な要素および特にポリープを切除することができる。
【００１１】
米国特許第５，６６７，５２６号は、かなり突き出た歯が用意された極めて特殊な形状の鉗子を開示している。この鉗子は一定の限定された機能にしか使用できず、その複雑な作動は低コストでの製造を不許容する。
【００１２】
さらにまた米国特許第４，５９７，３８５号から一方のジョーの正面に切断部材および組織のための２本の保持歯が用意された生検鉗子も知られている。この鉗子もまた、生検を実施する場合にしか適用できないために重要性が限定される。その形状もまた、ジョーのデザインを原因として複雑である。
【００１３】
これらの様々な鉗子は一般的には個別の機能を満たす。
【００１４】
しかし、各患者のためには累積的方法でこれらの３種の鉗子を用いることが必要であることが分かっている。
【００１５】
そこで医師は、様々な連続する患者のために余儀なくこれらの種々の鉗子を複数セット有していなければならない。
【００１６】
購入費用に加えて、このような準備はさらに鉗子を滅菌するための実質的な費用を強いる。
【００１７】
鉗子の滅菌ステップは、それらの使用後における日常的業務である。
【００１８】
しかし、滅菌用設備は通常、特に一般診療を行っている医師が個別使用のためだけに使用するには高価である。
【００１９】
さらに、滅菌は適切な能力を有する者により実施されなければならず、これはさらにまた労力の観点でも実質的費用を増加させる。
【００２０】
滅菌は、極めて有効ではあるが、得られる滅菌が失敗に終わるという危険性を必ずしも乗り越えることはできない。
【００２１】
そこで、好ましくは滅菌への依存を回避するために婦人科医にとって必要な鉗子セット数を抑えることを許容する鉗子を提供する大きな必要がある。
【００２２】
本発明は、この分野に関連しており、現在市場で販売されている鉗子の欠点を克服することができる。
【００２３】
本発明の主要な目的の１つは、現在は個別鉗子によって実施されている機能のうち、数種の機能を実施する鉗子を提供することである。
【００２４】
その意味で、本発明の鉗子はコットン把持鉗子、頸部つかみ鉗子およびポリープ鉗子の機能を同時に満たすという長所を有する。
【００２５】
さらに、鉗子の数を減少させるという事実はそれらを使い捨てにすることを許容する。
【００２６】
この関連で、本発明に従った鉗子はそのデザインおよびその構成のために最小の費用で、および望ましい場合はプラスチック材料から製造することができる。
【００２７】
その結果、本発明は単一鉗子を使用する場合の実際的特性に複数回の滅菌を必要としない使い捨て器具の経済的側面を結び付けている。
【００２８】
本発明の別の長所は、使い捨てではない従来型鉗子に関係する時間の空費を伴うことなくその機能それぞれを実施するための十分かつ完全な有効性を維持しながら多機能鉗子を提供することである。
【００２９】
ある好ましい変形に従うと、ジョーが接触した後にレッグの弾力性変形によってジョーへ補助的力を及ぼすように、鉗子は内側に曲がったレッグを含む。従って強制圧力が大きく促進される。
【００３０】
その他の目的および長所は、本発明を限定しない下記の説明から明白になるであろう。
【００３１】
本発明は、ピボットによって連接された２つのジョーを含み、医師によって握り領域から操作される、下記の事実を特徴とする医療用の多機能鉗子に関する：
−各ジョーは、その内側面に、ジョーが接合したときに２つの凹部が１つのくぼみを形成するように１つの凹部を含み、
−各ジョーは、その内側面に、少なくとも一連の横細溝を含んでおり、前記一連の細溝はジョーが接合したときに相補的に噛み合い、
−各ジョーは、その遠位端に、他方のジョーに向けられた少なくとも１つの鉤爪を含む。
【００３２】
この鉗子は、下記で紹介される様々な変形に従って製造することができる：
−凹部は、望ましい場合は強制圧力を用いて閉鎖されたくぼみを作り出すために、ジョーが接合したときに、縁が接触する対称性の開口部を有し、
−凹部は、長軸がジョーの長手軸に沿って方向付けられている楕円形を有し、
−各ジョーは、ジョーの長手軸の方向に沿って凹部の両側に形成された二連の細溝を含み、
−各ジョーは、２つの鉤爪を含んでおり、ジョーの鉤爪は閉鎖位置で噛み合い、
−凹部は、２つの鉤爪間でジョーの遠位端へ伸びている、
−握り領域は、ジョーのためのピボットによって接続されたリングを含んだ２本のレッグによって形成されており、前記ジョーはそれぞれがピボットを介し握り領域とは反対側のレッグの延長部に形成される、
−ピボットを介し握り領域とは反対側に配置されたレッグの後方部分は凸状で内側へ曲がっており、ジョーの圧力を受けると弾力的に変形可能な材料から作られる、
−２つの後方部分の湾曲は対称的である、
−ピボットを介し握り領域と同一側に配置されたレッグの前方部分は、凸形で内側へ曲がっており、ジョーの圧力を受けると弾力的に変形可能な材料から作られる、
−２つの前方部分の湾曲は対称的である、
−ジョーの遠位端とピボットとの間隔は７から９ｃｍである、
−これはプラスチック材料から作られる。
【００３３】
指示的な実施例を示すために添付の図面を提供するが、これらは本発明を限定するものではない。これらの図面は１つの実施形態を示している。これらによって本発明を容易に理解できる。
【００３４】
図２は、ここに開示した鉗子のある実施形態の全体図である。
【００３５】
この好ましい実施例によると、鉗子は、２ａ、２ｂと番号付けされた２本の細長いレッグによって形成され、さらにそれらの端部に３ａ、３ｂと番号付けされたリングが用意されている握り領域１を実質的にその一方の端部に含む。
【００３６】
これらのリングは、鉗子の開口および閉鎖を操作するために医師が握ることができる。
【００３７】
図示した実施形態では、レッグ２ａ、２ｂは当該技術で既知のピボット６によって接続されている。
【００３８】
さらに、図２に示されているように、鉗子を構成するジョー７、８はそれぞれが握り領域１に対してピボット６の他方の側でレッグ２ａ、２ｂの一方の延長部に形成されている。
【００３９】
図２のジョーの相対配置を参照して、下方のジョーをジョー７と呼び、上方のジョーをジョー８と呼ぶ。
【００４０】
当然ながら本発明に従うとあらゆるその他の形状の鉗子も予想することができ、図２の特定配置は１つの実施例としてのみ提供されている。
【００４１】
同様に、レッグ２ａ、２ｂのＬ形曲がり部分４は必須ではなく、それらの２本のレッグが実質的に直線状である鉗子も予想することができよう。
【００４２】
多機能鉗子を製造することができるように、ジョー７、８は特異な手段を有する。
【００４３】
各ジョー７、８は、その内側面に、図４および５にそれぞれ示されているような凹部１１、１２を含む。
【００４４】
そのような凹部１１、１２の形成は、望ましい場合にはジョー７、８が接合したときには強制的にジョー７、８内にくぼみを作ることを許容する。
【００４５】
一例として、しかし好ましくは、凹部１１、８は、長軸がジョー７、８の長手軸に沿って方向付けられている楕円形を有する。
【００４６】
容易に使用するためには、凹部１１、１２の縁とジョー７、８の端部との間隔は例えば１ｍｍのように小さいことが望ましい。
【００４７】
凹部１１、１２の長軸の長さは例えば１５ｍｍであってよい。
【００４８】
好ましくは、凹部１１、１２は類似の形状および寸法を有しており、相互に面するようにジョー７および８上に対称的に配置されている。
【００４９】
従って、それらの対称的開口部はジョーが接合したときに閉鎖されたくぼみを作り出すことを許容し、凹部の開口部の縁はこの位置で接触させられる。
【００５０】
この場合の開口部の縁は、下記で説明する細溝１３、１４の中間の高さであってよい。
【００５１】
こうして形成された凹部１１、１２は組織あるいはポリープの切除を許容する。
【００５２】
ここに示した鉗子はまた、例えばコットン、コイル類のような様々な付属品類をつかんだり操作したりすることも許容する。
【００５３】
この鉗子はさらにまた、一般にコットン把持鉗子と呼ばれる鉗子も提供する。
【００５４】
これを実施するために、各ジョー７、８はその内側面に、図４および５において１３および１４と番号付けされた少なくとも一連の細溝を含む。
【００５５】
図示されているように、これらの細溝はジョー７、８の長手軸１５、１６に対して横である。
【００５６】
さらに、図２および３から明らかなように、ジョー７、８それぞれの上に配置された細溝１３、１４は、図１と同様にジョー７、８が接合したときに噛み合うように相補的である。
【００５７】
好ましくは、各ジョー７、８上には二連の細溝１３、１４が形成されるであろう。
【００５８】
より正確には、これら二連の細溝は凹部１１、１２の対向する側に配置することができる。
【００５９】
この配置は、図４および５から明白に見ることができる。
【００６０】
このような配置は、サイズに関して特に有益であることに注目されるであろう。
【００６１】
従って、このように用意された細溝１３、１４は、同時にジョー７、８の内側面の幅全部を占有することなく様々な付属品類をつかむというそれらの機能を完全に満たす。
【００６２】
さらに、ジョー７、８の側方縁に実質的に近接する一連の細溝の配置は、ジョー７、８が接合したときに例え捻られたとしてもジョー７、８の位置での良好なつかみを保証する。
【００６３】
さらに、凹部１１、１２のために好ましい楕円形は、一連の細溝１３、１４を形成するための左右の間隔を維持しながら十分な容量のくぼみの形成を許容する。
【００６４】
本発明に従った鉗子は、さらに頸部つかみ鉗子の機能も満たす。
【００６５】
このために、少なくとも１つの鉤爪９、１０が各ジョー７、８の遠位端に形成される。
【００６６】
図に示した例では、各ジョー７、８上に２つの鉤爪９、１０が用意されている。
【００６７】
図３から明らかなように、各ジョー７、８の鉤爪は他方のジョーに向けられている。
【００６８】
さらに、ジョー７、８が一緒になったときは、ジョー７、８の鉤爪９、１０は、それらが噛み合うようになっている。このようにして、それらはジョー７、８の閉鎖位置を妨害しない。
【００６９】
鉤爪９、１０が噛み合う実施形態の１例は図１に示されている。
【００７０】
医師にとって便宜的であるために、凹部１１、１２は好ましくは鉤爪９、１０の間でジョー７、８の遠位端へ伸びている。このように、ポリープを受け入れるためのくぼみは鉗子の端部に近接して配置されている。
【００７１】
同様に使用するのに便宜的であるためには、および一例として、ジョー７、８の遠位端とピボット６との間隔は７〜９ｃｍであろう。
【００７２】
さらに、握り領域１には閉鎖用タング５ａ、５ｂを形成できよう。
【００７３】
これらの手段によって、必要に応じて永続的閉鎖のためのちょっとした抑制具を用いて鉗子を閉鎖位置に保持することができる。
【００７４】
図２に示した本デザインの閉鎖用タング５ａおよび５ｂもまた使用できよう。
【００７５】
これらの説明および図面から、本発明に従った鉗子が数種の機能のそれぞれを満たすために個別に用意される鉗子と同様に有効な方法でそれら数種の機能を満たすことは理解されるであろう。
【００７６】
さらに、この作成は、鉗子を製造するために費用を増大させるであろう複雑なデザインに頼る必要なく実行される。
【００７７】
さらにその上、これらの鉗子の構成は、それらが例えば成形によってプラスチック材料から製造できるような構成である。
【００７８】
このようにして、単回使用するために適切な低コスト鉗子を提供することができる。
【００７９】
特に、プラスチック材料から製造するためには、ジョー７、８が閉鎖されたときに、圧力下でも最適な特徴を維持することが重要である。
【００８０】
このために好ましくは、加えられる力を増加させるために、ジョーが接触しているときにレッグの弾力的変形を許容するようレッグ２ａ、２ｂに内側へ曲がった形状を与えることが提案される。
【００８１】
それらの弾力性変形の特性がレッグ２ａ、２ｂのために望ましい変形度に従っている材料が使用されるであろう。
【００８２】
レッグ２ａ、２ｂに与えられる湾曲は、ジョー７、８へ力が加えられたときに取り入れる（ａｄｏｐｔｅｒ）傾向を有する湾曲とは逆の湾曲である。
【００８３】
図７を参照すると、レッグ２ａ、２ｂの前方部分１８ａ、１８ｂの好ましくは対称的な凸形の湾曲を有する形状を見て取れる（これらの部分は握り領域１とは反対側に配置された部分である）。
【００８４】
図７の黒色矢印は、凸形の湾曲を偏平化する傾向を有する弾力的変形の方向を示している。
【００８５】
補足的もしくは代替的方法では、レッグ２ａ、２ｂの後方部分１７ａ、１７ｂ（これらの部分は握り領域１と同一側にある）は、図６に示されているように凹形の湾曲を有する。
【００８６】
図６および７におけるような湾曲したレッグを含む鉗子の製造は、さらにあらゆるタイプおよびデザインのジョーを用いても可能である。
【図面の簡単な説明】
【図１】本発明の特定実施形態における鉗子の端部の部分的側面図である。
【図２】ここに示した多機能鉗子の１つの実施形態の全体図である。
【図３】開口位置にある鉗子のジョーの部分的側面図である。
【図４】本発明に従った鉗子の一方のジョーの下方から見た図である。
【図５】ある可能な実施形態に従った他方のジョーの上方から見た図である。
【図６】ジョーが開口している、鉗子のレッグの好ましい配置の図である。
【図７】また別の変形デザインの鉗子における閉鎖したジョーの図である。
【符号の説明】
１　握り領域
２ａ，２ｂ　レッグ
３ａ，３ｂ　リング
４　エルボ
５ａ，５ｂ　閉鎖用タング
６　ピボット
７　下部ジョー
８　上部ジョー
９　上部鉤爪
１０　下部鉤爪
１１　上部凹部
１２　下部凹部
１３　上部細溝
１４　下部細溝
１５　上部ジョーの長手軸
１６　下部ジョーの長手軸
１７ａ，１７ｂ　後方部分
１８ａ，１８ｂ　前方部分
【国際公開パンフレット】
2004501715.tif 000003
2004501715.tif 000004
2004501715.tif 000005
2004501715.tif 000006
2004501715.tif 000007
2004501715.tif 000008
2004501715.tif 000009
2004501715.tif 000010
2004501715.tif 000011
2004501715.tif 000012
2004501715.tif 000013
2004501715.tif 000014
2004501715.tif 000015
2004501715.tif 000016
2004501715.tif 000017
2004501715.tif 000018
2004501715.tif 000019
【国際調査報告】
2004501715.tif 000020
2004501715.tif 000021
2004501715.tif 000022
2004501715.tif 000023
2004501715.tif 000024
2004501715.tif 000025